(57)【要約】【課題】荷重支承面３５ａの外径寸法を大きくして、変速用歯車１６との接触面積を大きく確保できると共に、動トルクの低減を図れる、シールリング付玉軸受１ａの構造を実現する。【解決手段】シールリング付玉軸受１ａの両端開口部を塞ぐシールリング４ａを構成するシールリップ１４ａを、断面略横Ｖ字形とし、外径側傾斜部２５と内径側傾斜部２６とを連続部２７により連続する事により構成する。そして、シールリップ１４ａの先端縁である内径側傾斜部２６の内周縁部を、シール溝を有しない円筒面３０である、内輪８ａの両端部外周面に全周に亙り摺接させる。又、連続部２７の内側連続面２９の角度α１を１０４度以上として、この連続部２７を波型保持器１０ａの径方向内方に入り込ませて、内径側傾斜部２６の全長を長く確保する。【選択図】図１
2015034632.tif 000002
【特許請求の範囲】
【請求項１】
自動車用変速機の回転支持部に組み込まれるシールリング付玉軸受であって、
内周面に外輪軌道を有し、使用時にも回転しない外輪と、外周面に内輪軌道を有し、使用時に回転する内輪と、これら外輪軌道と内輪軌道との間に転動自在に設けられた複数個の玉と、これら各玉を転動自在に保持する為の保持器と、前記外輪の軸方向端部内周面に係止された状態で、この外輪の内周面と前記内輪の外周面との間に存在する、前記各玉を設置した環状の内部空間の軸方向端部開口を塞ぐシールリングとを備えており、
前記回転支持部に組み込んだ状態で、軸方向に隣接して配置される部材に、前記内輪の軸方向端面に設けた荷重支承面を当接させて、この部材から作用する軸方向荷重を支承するものであり、
前記シールリングは、芯金と弾性材とを備え、このうちの芯金は円輪状に形成されたものであり、この弾性材はこの芯金により補強されたものであって、内周縁部を全周に亙りこの芯金よりも径方向内方に突出させて、少なくとも径方向に弾性変形可能なシールリップとしたものであり、このシールリップは、前記芯金の内周縁から離れるに従って径方向内方に且つ前記シールリング付玉軸受の軸方向中央側に向かう方向に傾斜した外径側傾斜部と、この外径側傾斜部から離れるに従って径方向内方に且つ前記シールリング付玉軸受の軸方向外側に向かう方向に傾斜した内径側傾斜部と、これら外径側傾斜部の小径側端部と内径側傾斜部の大径側端部とを連続する連続部とを備えたものであって、これら外径側傾斜部の内周面と内径側傾斜部の外周面とこの連続部の軸方向側面とにより囲まれた部分を、断面形状が楔形である溝部とし、この連続部のうちで、軸方向に関してこの溝部と反対側の面を内側連続面としたものであり、前記シールリップの先端縁である前記内径側傾斜部の内周縁部を、前記内輪の軸方向端部外周面に全周に亙って摺接させており、前記シールリングの中心軸を含む仮想平面に関する断面形状に関して、この中心軸と前記内側連続面の延長線とが為す角度を１０４度以上としている、シールリング付玉軸受。
【請求項２】
前記仮想平面に関する断面形状に関して、前記溝部の内面の二等分線と前記中心軸とが、前記シールリング付玉軸受の内部空間側で交差する、請求項１に記載したシールリング付玉軸受。
【請求項３】
前記連続部のうち、厚さ寸法が一定である定厚部分の長さ寸法Ｌが、この定厚部分の厚さ寸法Ｈの１〜２倍の範囲に規制されている、請求項１〜２のうちの何れか１項に記載したシールリング付玉軸受。
【請求項４】
前記軸方向に隣接して配置される部材が、変速用歯車である、請求項１〜３のうちの何れか１項に記載したシールリング付玉軸受。
【請求項５】
前記保持器が、それぞれが円輪状の金属板をプレス加工により曲げ形成し円周方向に関して波型とした１対の保持器素子同士をリベットにより結合固定して成り、前記各玉を保持するポケットに対応する部分の外面を部分球面状の凸面とした波型保持器である、請求項１〜４のうちの何れか１項に記載したシールリング付玉軸受。
【発明の詳細な説明】
【技術分野】
【０００１】
この発明は、自動車用変速機の回転支持部を構成するシールリング付玉軸受の改良に関する。具体的には、軸方向に隣接して配置される変速用歯車との接触面積を十分に確保できると共に、シールリングによる摺動抵抗を低く抑えられる構造を実現するものである。尚、自動車用変速機には、手動変速機（ＭＴ）やデュアルクラッチトランスミッション（ＤＣＴ）、遊星歯車式変速機、ベルト式変速機、トロイダル式変速機等の各種構造の自動変速機を含む。
【背景技術】
【０００２】
自動車用変速機の回転支持部を構成する玉軸受として、変速用歯車の噛合部等で発生した金属の摩耗粉がこの玉軸受の転がり接触部に入り込む事で、軌道輪の軌道面や転動体の転動面が損傷するのを防止すべく、接触式のシールリングを備えた玉軸受を使用する事が従来から考えられている（例えば特許文献１〜４参照）。図１３は、従来構造のシールリング付玉軸受１により、自動車用変速機を構成する図示しないケーシング内に、回転軸２を回転自在に支持する構造を示している。
【０００３】
前記回転軸２の軸方向中間部を、前記ケーシングに対して回転自在に支持する前記シールリング付玉軸受１は、玉軸受３と、１対のシールリング４、４とから構成されている。このうちの玉軸受３は、内周面の軸方向中間部に深溝型の外輪軌道５を有し、前記ケーシングに内嵌固定されて使用時にも回転しない外輪６と、外周面の軸方向中間部に深溝型の内輪軌道７を有し、前記回転軸２に外嵌固定されて使用時にこの回転軸２と共に回転する内輪８と、前記外輪軌道５と前記内輪軌道７との間に転動自在に設けられた、それぞれが転動体である複数個の玉９と、これら各玉９を転動自在に保持する為の保持器１０とを備える。
【０００４】
前記各シールリング４、４は、前記外輪６の軸方向両端部内周面と前記内輪８の軸方向両端部外周面との間に設けられて、これら外輪６の内周面と内輪８の外周面との間に存在する、前記各玉９を設置した環状の内部空間の軸方向両端開口部を塞いでいる。前記各シールリング４は、それぞれ鋼板等の金属板を円輪状に形成して成る芯金１１により、ゴムの如きエラストマー等の弾性材１２を補強する事で、全体を円輪状に形成して成る。この弾性材１２の外周縁部は、前記芯金１１の外周縁よりも少しだけ径方向（図１３の上下方向）外方に突出させており、当該部分を前記外輪６の軸方向両端部内周面に形成した係止溝１３、１３に係止している。一方、前記弾性材１２の内周縁部は、前記芯金１１の内周縁よりも径方向内方に十分に突出させて、当該部分によりシールリップ１４を構成している。そして、このシールリップ１４の先端部を、前記内輪８の軸方向両端部外周面に形成したシール溝１５、１５の内側に進入させて、このシールリップ１４の先端部側面を、これら各シール溝１５、１５の軸方向側面に摺接させている。
【０００５】
又、図示の構造の場合、前記回転軸２の軸方向中間部の周囲に、外周面に歯部（例えばはすば歯車）を有する変速用歯車１６を、ラジアルニードル軸受１７を介して相対回転自在に支持している。又、前記シールリング付玉軸受１と前記変速用歯車１６との間に、円輪状の間座１８を設けている。そして、この変速用歯車１６の内径寄り部分に設けられた、前記ラジアルニードル軸受１７の外輪として機能する円筒状のボス部１９の軸方向片端面（図１３の左端面）を、前記間座１８を介して、前記シールリング付玉軸受１を構成する内輪８の軸方向片端面（図１３の右端面）に設けられた平坦面状の荷重支承面３５に突き当てている。これにより、このシールリング付玉軸受１を利用して、前記変速用歯車１６に作用するギヤ反力を支承し、この変速用歯車１６の軸方向に関する位置決めを図っている。尚、前記間座１８の外径寸法は、前記ボス部１９の外径寸法とほぼ同じであり、前記内輪８の荷重支承面３５の外径寸法Ｄ35よりも大きい。
【０００６】
上述した様な従来構造の場合、前記内輪８の軸方向両端部外周面に、軸方向端面に開口する凹溝状のシール溝１５、１５を設けている為、この様なシール溝１５、１５を設けない場合に比べて、前記内輪８の荷重支承面３５の外径寸法Ｄ35が小さくなる。この為、この様な荷重支承面３５に、前記ボス部１９の軸方向片端面をそのまま当接させると、当接面積が小さくなる事に起因して、接触面圧が高くなり、接触面の摩耗量が増大し易くなるといった不都合を生じる可能性がある。従来構造の場合には、この様な不都合が生じる事を防止する為に、上述した様に間座１８を設ける構造を採用しているが、この様に間座１８を設ける事で、自動車用変速機の部品点数や組立工数が増加すると共に、大型化や重量増大といった、別の問題を生じてしまう。
【０００７】
そこで、図１４に示した様に、内輪８の外径寸法を大きくする事で、荷重支承面３５の外径寸法を大きく確保して、間座を省略する事が考えられる。但し、この様な構造を採用した場合には、外輪６の外径寸法が大きくなり、シールリング付玉軸受１が大型化するといった問題を生じてしまう。これに対し、従来構造で採用されていたシール溝を省略する事で、シールリップの先端縁を、シール溝の軸方向側面に軸方向に摺接させる構造（溝シール構造）に代えて、内輪の軸方向端部外周面に径方向に摺接させる構造（軸シール構造）を採用する事も考えられる。但し、この様な構造を採用する場合には、新たに次の様な課題を生じる。即ち、従来構造の様に、シール溝を設ける場合には、このシール溝の内側にシールリップの先端部を進入させられる為、保持器との干渉防止を図れる設計空間（設計領域）を広く確保できて、シールリングの設計の自由度を高くできるが、シール溝を省略した場合、同じ軸受サイズでは、設計空間が狭くなり、シールリングの設計の自由度が低くなる。又、シールリップの先端縁をシール溝の軸方向側面に摺接させる場合には、外輪と内輪とがラジアル方向に相対変位した場合にも、この様な変位を摺接部を径方向に移動させて吸収できる為、摺接部の面圧（緊迫力）が高くなる事を防止できるのに対し、シールリップの先端縁を内輪の軸方向端部外周面に摺接させた場合には、上述の様な変位をシールリップの弾性変形により吸収する必要がある為、摺接部の面圧が高くなり易くなる。従って、近年の省燃費化の要求に応えるべく、シールリング付玉軸受の回転抵抗（動トルク）を低く抑える為に、シールリップとシール摺接面との摺接部の面圧を低く抑えようとした場合にも、必要とされるシール性能を確保しつつ、この面圧を低く抑える事が難しくなる。
【先行技術文献】
【特許文献】
【０００８】
【特許文献１】特開２０１１−８０４９７号公報
【特許文献２】特開２０１１−８０５２７号公報
【特許文献３】特開２００２−１１５７２４号公報
【特許文献４】特開２００１−１４０９０７号公報
【発明の概要】
【発明が解決しようとする課題】
【０００９】
本発明は、上述の様な事情に鑑みて、荷重支承面の外径寸法を大きく確保して、この荷重支承面と軸方向に隣接して配置される部材との接触面積を大きく確保できると共に、動トルクの低減を図れる、シールリング付玉軸受の構造を実現すべく発明したものである。
【課題を解決するための手段】
【００１０】
本発明のシールリング付玉軸受は、自動車用変速機の回転支持部に組み込まれて使用される。
又、前記シールリング付玉軸受は、内輪と、外輪と、複数個の玉と、保持器と、シールリングとを備えている。
このうちの外輪は、内周面に外輪軌道を有し、使用時にも回転しない。
又、前記内輪は、外周面に内輪軌道を有し、使用時に回転する。
又、前記各玉は、これら外輪軌道と内輪軌道との間に転動自在に設けられている。
又、前記保持器は、金属製又は合成樹脂製で、前記各玉を転動自在に保持する為のものである。
更に、前記シールリングは、前記外輪の軸方向端部内周面に係止された状態で、この外輪の内周面と前記内輪の外周面との間に存在する、前記各玉を設置した環状の内部空間の軸方向端部開口を塞いでいる。
そして、この様な本例のシールリング付玉軸受は、前記回転支持部に組み込まれた状態で、軸方向に隣接して配置される部材（請求項４に記載した発明にあっては変速用歯車）に、前記内輪の軸方向端面に設けた荷重支承面を当接させて、この部材から作用する軸方向荷重を支承する。
【００１１】
特に本発明のシールリング付玉軸受の場合には、前記シールリングは、芯金と弾性材とを備えている。
このうちの芯金は、炭素鋼板等の金属板により円輪状に形成されている。
又、前記弾性材は、例えば水素化ニトリルゴム製で、前記芯金により補強されたものであって、内周縁部を全周に亙りこの芯金よりも径方向内方に突出させて、少なくとも径方向に弾性変形可能なシールリップとしている。
又、このシールリップは、前記芯金の内周縁から離れるに従って径方向内方に且つ前記シールリング付玉軸受の軸方向中央側（内部空間側）に向かう方向に傾斜した外径側傾斜部と、この外径側傾斜部から離れるに従って径方向内方に且つ前記シールリング付玉軸受の軸方向外側（外部空間側）に向かう方向に傾斜した内径側傾斜部と、これら外径側傾斜部の小径側端部と内径側傾斜部の大径側端部とを連続する連続部とを備える。
そして、これら外径側傾斜部の内周面と内径側傾斜部の外周面と連続部の軸方向側面とにより囲まれた部分を、断面形状が楔形で、前記シールリング付玉軸受の外部空間側に対向する溝部としている。
又、前記連続部のうちで、軸方向に関して前記溝部と反対側の面を、前記シールリング付玉軸受の内部空間側に対向する内側連続面としている。
そして、前記シールリップの先端縁である前記内径側傾斜部の内周縁部を、母線形状が直線状の円筒面或いは部分円すい凸面である、前記内輪の軸方向端部外周面に、全周に亙って径方向（ラジアル方向）に摺接させている。
又、前記シールリングの中心軸を含む仮想平面に関する断面形状に関して、この中心軸と前記内側連続面の延長線とが為す角度を、前記シールリップの自由状態で、１０４度以上としている。
【００１２】
本発明を実施する場合に好ましくは、例えば請求項２に記載した発明の様に、前記仮想平面に関する断面形状に関して、前記溝部の内面（外径側傾斜部の内周面と内径側傾斜部の外周面との両面が為す角度）の二等分線と前記中心軸とを、前記シールリング付玉軸受の内部空間側で交差させる。この交差角度は、前記シールリップが弾性変形していない自由状態で、０度を超えて３０度以下の範囲で設定できるが、好ましくは５〜１０度とする。
尚、以上に述べた各部の傾斜角度の値は、何れも前記シールリップの自由状態での値であるが、この点は、特許請求の範囲に関しても同じである。
【００１３】
本発明を実施する場合に好ましくは、例えば請求項３に記載した発明の様に、前記連続部のうち、厚さ寸法が一定である定厚部分の長さ寸法Ｌを、この定厚部分の厚さ寸法Ｈの１〜２倍の範囲に規制する。
【００１４】
又、本発明を実施する場合には、例えば、前記シールリップの一部に、このシールリップとは別の副シールリップ（補助リップ）を設ける。この副シールリップは、例えば、その先端縁を内輪の軸方向端部外周面に近接対向させる様に設ける事もできるし、或いは、前記溝部の開口部の一部を塞ぐ様に設ける事もできる。
又、例えば請求項５に記載した発明の様に、前記保持器として、それぞれが円輪状の金属板をプレス加工により曲げ形成し円周方向に関して波型とした１対の保持器素子同士をリベットにより結合固定して成り、前記各玉を保持するポケットに対応する部分の外面を部分球面状の凸面とした波型保持器を使用する事ができる。
【発明の効果】
【００１５】
上述の様に構成する本発明のシールリング付玉軸受によれば、荷重支承面の外径寸法を大きくする事ができて、この荷重支承面と軸方向に隣接して配置される部材との接触面積を大きく確保できると共に、動トルクの低減を図れる。
即ち、本発明の場合には、シールリップの先端縁である内径側傾斜部の内周縁部を、内輪の軸方向端部外周面に摺接させるシール構造を採用している為、この内輪の軸方向端部外周面にシール溝を設けずに済む。この為、シールリング付玉軸受を大型化しなくても、この内輪の軸方向端面に設ける荷重支承面の外径寸法を大きく確保できて、この内輪の荷重支承面と軸方向に隣接して配置される部材の軸方向端面とを直接、大きな接触面積を確保しつつ接触させる事ができる。この結果、本発明のシールリング付玉軸受を自動車用変速機に組み込んだ場合に、従来構造で必要とされていた間座を省略する事が可能になり、自動車用変速機の部品点数並びに組立工数の低減を図れると共に、小型・軽量化を図れる。
又、本発明の場合には、シールリップの断面形状を、略横Ｖ字形（コ字形）とすると共に、振れ回りに基づく保持器の移動軌跡（領域）に沿って、内側連続面の傾斜角度を規制している（シールリングの中心軸と内側連続面の延長線とが為す角度を１０４度以上としている）為、前記保持器との干渉を有効に回避しつつ、前記シールリップの連続部の少なくとも一部を、この保持器の径方向内方に入り込ませる事ができる。従って、前記シールリップの内径側傾斜部の全長を長く確保できる。この結果、前記シールリップの先端縁と前記内輪の軸方向端部外周面との摺接部の面圧を低く抑える事ができて、前記シールリング付玉軸受の動トルクの低減を図れる。
【００１６】
又、請求項３に記載した発明によれば、シールリップの緊迫力を低減できると共に、保持器との干渉を有効に防止できる。
【図面の簡単な説明】
【００１７】
【図１】本発明の実施の形態の第１例のシールリング付玉軸受を自動車用変速機に組み込んだ状態を示す部分断面図。
【図２】本発明の実施の形態の第１例（Ａ）と参考構造（Ｂ）とで、シールリップの形状を比較して示す、図１のＸ部に相当する部分の拡大断面図。
【図３】図１のＸ部拡大断面図。
【図４】保持器の振れに伴う、この保持器とシールリップとの位置関係の変化を説明する為の、シールリング付玉軸受の部分断面図。
【図５】本発明の効果を顕著に得られる形状を説明する為の、ポケット内に玉を保持した保持器の部分断面図。
【図６】本発明の実施の形態の第２〜４例を示す、図２と同様の断面図。
【図７】本発明の実施の形態の第５〜６例を示す、シールリング付玉軸受の部分断面図。
【図８】本発明の実施の形態の第７〜８例を示す、シールリング付玉軸受の部分断面図。
【図９】本発明の実施の形態の第９例を示す、図２と同様の断面図。
【図１０】同じく締め代と定厚部分の厚さ寸法との関係を示す、図２と同様の断面図。
【図１１】同じく定厚部分の厚さ寸法と長さ寸法との関係が、シールリップの緊迫力に与える影響を確認する為に行った実験結果を示す線図。
【図１２】本発明の対象となる別の２例を示す、図２と同様の断面図。
【図１３】従来構造の第１例のシールリング付玉軸受を自動車用変速機に組み込んだ状態を示す部分断面図。
【図１４】従来構造の第２例を示す、図１３と同様の図。
【発明を実施するための形態】
【００１８】
［実施の形態の第１例］
本発明の実施の形態の第１例に就いて、図１〜５により説明する。自動車用変速機を構成する回転軸２の軸方向中間部を、図示しないケーシングに対して回転自在に支持する本例のシールリング付玉軸受１ａは、玉軸受３ａと、１対のシールリング４ａ、４ａとから構成されている。このうちの玉軸受３ａは、外輪６ａと、内輪８ａと、複数個の玉９と、保持器１０ａとを備える。この外輪６ａは、内周面の軸方向中間部に深溝型の外輪軌道５を有し、前記ケーシングに内嵌固定されて使用時にも回転しない。前記内輪８ａは、外周面の軸方向中間部に深溝型の内輪軌道７を有し、前記回転軸２に外嵌固定されて、使用時にこの回転軸２と共に回転する。前記各玉９は、前記外輪軌道５と前記内輪軌道７との間に転動自在に設けられている。
【００１９】
前記保持器１０ａは、前記各玉９を転動自在に保持する為のもので、本例の場合には、それぞれが円輪状の金属板をプレス加工により曲げ形成し、円周方向に関して波型とした、１対の保持器素子同士をリベットにより結合固定して成る、波型保持器（プレス保持器）を使用している。この為、前記保持器１０ａは、前記各玉９を保持するポケット２０の内周面が部分球面状の凹面であり、これら各ポケット２０に対応する部分の外面が、部分球面状の凸面である。従って、前記シールリング付玉軸受１ａの中心軸及び前記各玉９（のうちの何れかの玉９）の中心軸を含む仮想平面に関する、前記保持器１０ａの外面の断面形状は、径方向に関して中間部が両端部よりも軸方向に突出した、部分円弧状である。
【００２０】
前記各シールリング４ａは、芯金１１ａと弾性材１２ａとを組み合わせて成る。このうちの芯金１１ａは、鋼板等の金属板を円輪状に形成して成るもので、平板状の円輪部２１と、この円輪部２１の外周縁から、前記シールリング付玉軸受１ａの軸方向中央側に向けて折れ曲がった円筒部２２と、この円筒部２２の先端縁から径方向外方に向けて折れ曲がった折れ曲がり部２３とを備える。
【００２１】
又、前記弾性材１２ａは、例えば水素化ニトリルゴム、アクリルゴム、或いは、アクリルニトリルブタジエンゴム（ニトリルゴム）等のゴム材料製で、前記芯金１１ａを包み込む様にして設けられ、この芯金１１ａにより補強されている。前記弾性材１２ａの内外両周縁部は、この芯金１１ａの内外両周縁部よりも径方向に突出している。このうちの内周縁部側の突出部分は、薄肉で、前記シールリング付玉軸受１ａの軸方向外方に向いて開口した、略横Ｖ字形の断面形状を有する、シールリップ１４ａとしている。これに対して、外周縁部側の突出部分は、環状係止部２４としている。この様なシールリング４ａは、この環状係止部２４を、前記外輪６ａの軸方向両端部内周面に形成した係止溝１３ａ、１３ａに係止した状態で、この外輪６ａの内周面と前記内輪８ａの外周面との間に存在する、前記各玉９を設置した環状の内部空間の軸方向両端開口部を塞いでいる。尚、本例の場合には、後述する様に、前記シールリップ１４ａの先端縁を前記内輪８ａの軸方向端部外周面に摺接させるシール構造（軸シール構造）を採用した事で、前記シールリップ１４ａの径方向寸法が小さくなり、クリープが発生し易くなる事から、このシールリップ１４ａを構成する弾性材料として、引張り強度の高い水素化ニトリルゴムを使用する事が好ましい。
【００２２】
上述した様に、略横Ｖ字形の断面形状を有する前記シールリップ１４ａは、外径側傾斜部２５と内径側傾斜部２６とを連続部２７により連続させて成る。このうちの外径側傾斜部２５は、前記芯金１１ａの内周縁から離れる（先端縁に向かう）に従って、径方向内方に且つ前記シールリング付玉軸受１ａの軸方向中央側に向かう方向に傾斜している。又、前記内径側傾斜部２６は、前記外径側傾斜部２５から離れる（先端縁に向かう）に従って、径方向内方に且つ前記シールリング付玉軸受１ａの軸方向外側に向かう方向に傾斜している。更に、前記連続部２７は、前記外径側傾斜部２５の小径側端部と、前記内径側傾斜部２６の大径側端部とを連続させている。これら外径側傾斜部２５の内周面と内径側傾斜部２６の外周面と連続部２７の軸方向側面（軸方向外側面）とにより三方を囲まれた部分は、断面形状が楔形で、前記シールリング付玉軸受１ａの外部空間側に対向する溝部２８としている。又、前記連続部２７のうちで、軸方向に関してこの溝部２８と反対側の面を、前記シールリング付玉軸受１ａの内部空間側に対向する内側連続面２９としている。この内側連続面２９の断面形状は、前記シールリップ１４ａの自由状態で、実質的に（製造誤差等に基づく微小な歪みを除き）直線状である。
【００２３】
そして、本例の場合には、上述の様な形状を有するシールリップ１４ａの先端縁である、前記内径側傾斜部２６の内周縁部を、前記内輪８ａの軸方向両端部外周面にそれぞれ全周に亙って摺接させている。本例の場合、この内輪８ａの軸方向両端部外周面を、それぞれ母線形状が直線状である円筒面３０、３０としており、この内輪８ａの軸方向両端部外周面に、前述した従来構造の場合の様なシール溝１５、１５（図１３参照）は設けていない。この為、前記内輪８ａの軸方向片端面（図１の右端面）に設けられた平坦面状の（シールリング付玉軸受１ａの中心軸に直交する仮想平面上に存在する円輪状の）荷重支承面３５ａの外径寸法Ｄ35ａは、従来構造の内輪８の荷重支承面３５（図１３参照）の外径寸法Ｄ35よりも、シール溝１５を設けない分だけ大きくなっている（Ｄ35ａ＞Ｄ35）。
【００２４】
これに伴って、前記回転軸２の軸方向中間部の周囲で、前記シールリング付玉軸受１ａと軸方向に隣接する部分に、外周面に歯部（例えばはすば歯車）を有する変速用歯車１６を、ラジアルニードル軸受１７を介して相対回転自在に支持している。そして、この変速用歯車１６の内径寄り部分に設けられた円筒状のボス部１９の軸方向片端面（図１の左端面）を、前記内輪８ａの荷重支承面３５ａに、間座１８（図１３参照）を介さずに、直接当接させている。これにより、前記シールリング付玉軸受１ａを利用して、前記変速用歯車１６に作用するギヤ反力を支承し、この変速用歯車１６の軸方向に関する位置決めを図っている。
【００２５】
又、本例の場合、各図に表れた、前記シールリング４ａの中心軸を含む仮想平面に関する断面形状に関して、この中心軸と前記内側連続面２９の延長線とが為す角度α１を、１０４度以上（α１≧１０４度）としている。即ち、図２の（Ｂ）に示した、参考構造のシールリング４ｂの場合には、シールリップ１４ｂを構成する内側連続面２９ａに関する角度α１ａを、９０度程度（α１ａ≒９０度）としているが、本例の構造の場合には、前記内側連続面２９を、径方向内方に向かう程、前記シールリング付玉軸受１ａの軸方向中央側に向かう方向に傾斜させている。本例の構造の場合、前記角度α１の下限値を或る程度確保する事により、前記内径側傾斜部２６の基端部（図２の右端部）を、参考構造の内径側傾斜部２６ａの基端部よりも、前記シールリング付玉軸受１ａの軸方向中央側に配置する様にしている。
【００２６】
前記角度α１  の下限値を１０４度とした理由に就いて、図５を参照しつつ説明する。本例のシールリング付玉軸受１ａに組み込んで使用する波型の保持器１０ａの場合、ポケット２０に対応する部分の外面を、部分球面状の凸面としている。又、一般的に、前記保持器１０ａの径方向に関する幅寸法Ｗ10は、前記各ポケット２０内に保持された各玉９の直径Ｄａの０．４〜０．５倍｛Ｗ10＝（０．４〜０．５）Ｄａ｝程度である。更に、前記各部分球面状の凸面の直径Ｄ10は、前記各玉９の直径Ｄａの１．６〜１．６３倍｛Ｄ10＝（１．６〜１．６３）Ｄａ｝程度である。この様な条件で、前記ポケット２０に対応する部分の外面の内径側端部（内周縁部）に於ける、この外面に対する接線イと、前記中心軸に対し平行な直線ロとの為す角度α０を求める｛α０＝９０度＋ｓｉｎ-1（Ｗ10／Ｄ10）｝と、凡そ１０４度となる。そして、前記内側連続面２９に関する角度α１を、前記外面の内周縁部の接線イに関する角度α０以上（α１≧α０）にすれば（前記連続部２７と前記内径側傾斜部２６との接続部を或る程度以上尖らせれば）、前記各ポケット２０の内面と前記各玉９の転動面との間に存在するポケット隙間に基づく、図４に示す様な保持器１０ａの振れ回りに拘らず、この保持器１０ａとの干渉を有効に回避しつつ、図３に示す様に、前記内側連続面２９部分を、この保持器１０ａの凸面の内径側部分に進入させた状態のままにする事ができる。
【００２７】
そして、この様に進入させられる分、前記内径側傾斜部２６の全長Ｌ26を長くして、この内径側傾斜部２６の剛性を低くし、この内径側傾斜部２６の内周縁部と内輪８ａの軸方向端部外周面との摺動部の摩擦抵抗を低くできる。尚、前記角度α１の上限値は、前記シールリップ１４ａの軸方向寸法が徒に長くなる事を防止する面から規制する。前記角度α１を、前記外径側傾斜部２５の外周面の傾斜角度を越えて大きくする事は無意味であるし、この外周面の傾斜角度は、前記外径側傾斜部２５に必要最小限の剛性を確保する面から或る程度必要である。これらの事を考慮すると、前記角度α１の上限値は、１５０度程度とする事が好ましい。
【００２８】
又、本例の構造の場合には、前記溝部２８の開口部を、少しだけ径方向外向きに傾けている。即ち、この溝部２８は、軸方向外側（開口部）に向かう程径方向に関する幅寸法が広くなる断面楔形であるが、この溝部２８の径方向に関する内外両側面の二等分線ハを、前記シールリング付玉軸受１ａの軸方向外側に向かう程（図２の左側程）、径方向外方に向かう方向に傾斜させている。言い換えれば、前記シールリング４ａの中心軸を含む仮想平面に関する断面形状に関して、前記二等分線ハとこの中心軸に対し平行な直線ロとを、前記溝部２８の開口部とは軸方向に関して反対側で交差する様にしている。前記二等分線ハと直線ロとの交差角度θは、０度よりも大きく、３０度以下の値で（０＜θ≦３０度）であるが、好ましくは５度以上とし、上限値を含めて、次述する、前記内径側傾斜部２６の内周面の傾斜角度γとの関係で規制する。具体的には、この内周面の傾斜角度γを適正範囲に規制する為に、前記交差角度θを、５〜１０度の範囲に規制する。尚、図２の（Ｂ）に示した参考構造の場合、溝部２８ａに関する二等分線ハと、中心軸に対し平行な直線ロとの交差角度θａは、凡そ０度（θａ≒０度）としている。この為、内径側傾斜部２６ａの全長Ｌ26ａを、本発明の実施の形態程は長くできない。本発明の実施の形態の場合、前記内側連続面２９に関する角度α１を１０４度以上とし、前記交差角度θを上述した範囲に規制する事で、前記内径側傾斜部２６の全長Ｌ26を、参考構造の場合に比べて２０％程度長く（Ｌ26≒１．２Ｌ26ａ）できる。尚、この値は、一般的な自動車用変速機のシールリング付玉軸受で、保持器１０ａとシールリング４ａとの間の隙間を、可能な限り（保持器１０ａとシールリング４ａとの干渉を確実に防止できる範囲で）小さくした場合での値である。又、前記内側連続面２９に関する角度α１は、前記外径側傾斜部２５の外周面に関する傾斜角度α２よりも小さく（α１＜α２）なる。言い換えれば、中心軸に対し平行な直線に対する前記内側連続面２９の（鋭角側の）傾斜角度は、この直線に対する前記外径側傾斜部２５の外周面の傾斜角度よりも大きくなる。又、この外径側傾斜部２５と前記内径側傾斜部２６とを連続させる連続部２７の厚さは、径方向に亙り必ずしも一定とはならないが、前記内側連続面２９に関する角度α１は、飽くまでも、軸方向内側の面である、この内側連続面２９の角度として規制する。
【００２９】
又、前記仮想平面に関する断面形状に関して、前記内径側傾斜部２６の内周面の傾斜角度γ、即ち、この内径側傾斜部２６の内周面と前記中心軸に平行な直線ロとの交差角度γを、１５〜２５度とする。この内径側傾斜部２６の内周面の傾斜角度γが２５度を超えると、この内径側傾斜部２６のラジアル方向に関する剛性が高くなる。この結果、前記芯金１１ａの内周縁と前記内輪８ａの外周面との距離が変化した場合に、この変化に対する追従性が悪化し、前記内径側傾斜部２６に発生する歪みが大きくなる。これに対して、前記傾斜角度γが１５度未満になると、前記内径側傾斜部２６のラジアル剛性が低くなり過ぎて、前記芯金１１ａの内周縁と前記内輪８ａの外周面とが近づいた場合に、この外周面と前記内径側傾斜部２６の内周面が過度に広い面積で当接する、所謂ベタ当りが発生し、これら両周面同士の摺接部に作用する摩擦抵抗が増大する。これに対して、前記傾斜角度を１５〜２５度の範囲に規制すれば、前記シールリップ１４ａの締め代を、一般的な値である、このシールリップ１４ａの内径の０〜１％の範囲に収める状態で使用する限り、前記内径側傾斜部２６の歪み並びに摩擦抵抗を低く抑えられる。尚、締め代が０％とは、前記内輪８ａの外径と、前記シールリップ１４ａの自由状態での内径とが丁度同じである状態を言う。又、シールリング付玉軸受１ａの幅寸法が小さい（シールリング４ａの幅寸法を小さくする必要がある）場合には、前記内径側傾斜部２６の内周面と前記中心軸に平行な直線ロとの公差角度γを１５〜４５度として、この内径側傾斜部２６のラジアル方向に関する剛性をある程度確保しても良い。
【００３０】
以上の様な構成を有する本例のシールリング付玉軸受１ａによれば、荷重支承面３５ａの外径寸法を大きくできて、この荷重支承面３５ａと変速用歯車１６の軸方向片端面との接触面積を大きく確保できると共に、動トルクの低減を図れる。
即ち、本例の場合には、前記シールリップ１４ａの先端縁である内径側傾斜部２６の内周縁部を、前記内輪８ａの軸方向端部外周面である円筒面３０に摺接させるシール構造（軸シール構造）を採用している為、この内輪８ａの軸方向端部外周面に、前述した従来構造の場合の様なシール溝１５、１５（図１３参照）を設けずに済む。この為、前記図１４に示した従来構造の第２例の場合の様に、シールリング付玉軸受１ａを大型化しなくても、前記内輪８ａの軸方向片端面に設けた平坦面状の荷重支承面３５ａの外径寸法を大きく確保できる。従って、本例のシールリング付玉軸受１ａと前記変速用歯車１６との間には、間座１８（図１３参照）を設けずに、この変速用歯車１６を構成するボス部１９の軸方向片端面と前記内輪８ａの荷重支承面３５ａとを直接、大きな接触面積を確保しつつ接触させる事ができる。この結果、シールリング付玉軸受１ａを大型化せずに、従来構造で必要とされていた前記間座１８を省略する事が可能になり、自動車用変速機の部品点数並びに組立工数の低減を図れると共に、小型・軽量化を図れる。
【００３１】
又、本例の場合には、前記シールリップ１４ａの断面形状を、略横Ｖ字形（コ字形）とすると共に、振れ回りに基づく保持器１０ａの移動軌跡（領域）に沿って、前記内側連続面２９の傾斜角度α１を１０４度以上としている。この為、前記保持器１０ａとの干渉を有効に回避しつつ、前記シールリップ１４ａの連続部２７を、この保持器１０ａの径方向内方に入り込ませる事ができる。従って、前記シールリップ１４ａを構成する内径側傾斜部２６の全長を長く確保できる。この結果、このシールリップ１４ａの先端縁と前記内輪８ａの軸方向端部外周面（円筒面３０）との摺接部の面圧を低く抑える事ができて、前記シールリング付玉軸受１ａの動トルクの低減を図れる。本例の場合、前述した様に、参考構造の場合に比べて、前記内径側傾斜部２６の全長Ｌ26を２０％程度長くできるので、前記動トルクを３０％程度低減できる。
その他の構成及び作用効果に就いては、前述した従来構造の場合と同様である。
【００３２】
［実施の形態の第２〜４例］
図６は、本発明の実施の形態の第２〜４例を示している。これら各例の場合には、シールリップ１４ｃ〜１４ｅの全長を確保できる範囲で、これら各シールリップ１４ｃ〜１４ｅの一部に、副シールリップ３１ａ〜３１ｃを、全周に亙って設けている。これら各副シールリップ３１ａ〜３１ｃの形状、寸法、設置位置は、各シールリップ１４ｃ〜１４ｅのシール性能を向上させる面から適切に規制する。図６の（Ａ）（Ｂ）に示した副シールリップ３１ａ、３１ｂは、連続部２７を径方向内方に延出した如き形状をしており、その先端縁を内輪８ａの軸方向端部外周面（円筒面３０）に近接対向させて、当該部分にラビリンスシールを構成している。又、図６の（Ｃ）に示した副シールリップ３１ｃは、芯金１１ａの内周縁部の内側に位置する部分から径方向内方に向けて突出しており、溝部２８ａの開口部の一部を塞いでいる。
その他の部分の構成及び作用は、上述した実施の形態の第１例と同様であるから、重複する図示並びに説明は省略する。
【００３３】
［実施の形態の第５〜６例］
図７は、本発明の実施の形態の第５〜６例を示している。これら両例の場合には、内輪８ａの軸方向端部外周面で、シールリップ１４ａの先端縁を摺接させる部分の形状を、前述した実施の形態の第１例とは異ならせている。先ず、図７の（Ａ）に示した第５例の構造の場合には、内輪８ａの軸方向端部外周面に部分円すい凸面状の傾斜面３２を形成し、この傾斜面３２に、前記シールリップ１４ａの先端縁（内径側傾斜部２６の内周縁部）を、全周に亙り摺接させている。この様な構造の場合、前述の図２の（Ａ）で説明した角度γ及びθは、前記傾斜面３２の母線と、内径側傾斜部２６の内周面、又は、溝部２８の二等分線との為す角度である。又、図７の（Ｂ）に示した第６例の構造は、内輪８ａの軸方向端部外周面に小径段部３３を形成し、この小径段部３３の外周面である円筒面３０ａに、前記シールリップ１４ａの先端縁を、全周に亙り摺接させている。この様な両例の場合には、前述した実施の形態の第１例の場合に比べて、内輪８ａの荷重支承面の外径寸法が小さくなるが、前述した従来構造の場合に比べれば十分に大きくできる。
その他の部分の構成及び作用は、上述した実施の形態の第１例と同様であるから、重複する図示並びに説明は省略する。
【００３４】
［実施の形態の第７〜８例］
図８は、本発明の実施の形態の第７〜８例を示している。これら両例の場合には、外輪６ａの軸方向端部内周面に対するシールリング４ａの係止構造を工夫している。具体的には、図８の（Ａ）に示した構造の場合には、外輪６ａの軸方向端部内周面を、単なる円筒面としており、係止溝は設けていない。そして、この様な外輪６ａの軸方向端部内周面に、芯金１１ａを構成する円輪部２１の外周縁部から、シールリング付玉軸受１ａの軸方向中央側（図８の右側）にほぼ直角に折れ曲がった嵌合円筒部３４を、弾性材１２ａを介して内嵌固定している。又、図８の（Ｂ）に示した構造の場合にも、外輪６ａの軸方向端部内周面を、単なる円筒面としており、係止溝は設けていない。そして、この様な外輪６ａの軸方向端部内周面に、芯金１１ａを構成する円輪部２１ａの外周縁部から、シールリング付玉軸受１ａの軸方向中央側（図８の右側）にほぼ直角に折れ曲がった嵌合円筒部３４ａを直接内嵌固定している。この様な両例の構造を実施する場合には、外輪６ａの軸方向端部内周面に係止溝を形成する必要がない為、加工コストの低減を図れる。
その他の部分の構成及び作用は、上述した実施の形態の第１例と同様であるから、重複する図示並びに説明は省略する。
【００３５】
［実施の形態の第９例］
図９〜１２は、本発明の実施の形態の第９例を示している。本例の場合には、シールリング４ａの内周縁部に設けられたシールリップ１４ｆの緊迫力を小さく抑える為に、このシールリップ１４ｆを構成する連続部２７ａの厚さ寸法と長さ寸法との関係を規制している。即ち、本例の場合には、この連続部２７ａのうち、厚さ寸法が一定である定厚部分３６の長さ寸法Ｌ36を、この定厚部分３６の厚さ寸法Ｈ36の１〜２倍の範囲（図示の例では１．６倍）に規制している（１Ｈ36≦Ｌ36≦２Ｈ36）。
【００３６】
前記定厚部分３６の長さ寸法Ｌ36が厚さ寸法Ｈ36未満である（Ｌ36＜１Ｈ36）場合には、この定厚部分３６が屈曲しにくくなる為、内輪８ａの円筒面３０に対するシールリップ１４ｆの内周縁部の緊迫力が高くなる。この為、自動車用変速機に組み込まれるシールリング付玉軸受のシールリップに通常付与される程度に、締め代（Ｓ）を大きく設定すると、前記シールリップ１４ｆの挙動が安定せずに、十分な密封性能を確保する事が難しくなる。ここで、自動車用変速機のシールリング付玉軸受のシールリップに通常付与される程度の締め代の大きさとは、シールリップ１４ｆの内径寸法の公差、内輪８ａの円筒面３０の外径寸法の公差、並びに、荷重負荷及びラジアル隙間によるラジアル方向に関する内外輪間の相対変位を考慮した場合に必要となる締め代の大きさである。
【００３７】
又、本例のシールリング付玉軸受１ａの場合には、前記各要素に基づき締め代Ｓを大きく設定するが、この締め代Ｓの上限値は、図１０に示す様に、前記定厚部分３６の厚さ寸法Ｈ36との関係で、３倍以下（Ｓ≦３Ｈ36）に設定する事が好ましい。締め代Ｓの値が、定厚部分３６の厚さ寸法Ｈ36の３倍よりも大きくなると、内径側傾斜部２６の変形のみで、ラジアル方向の変位を吸収する事が難しくなる。この結果、前記内輪８ａの円筒面３０に対する内径側傾斜部２６の内周面のベタ当たりや、緊迫力の増大、保持器１０ａとの干渉等と言った問題が起こり易くなる。定厚部分３６の厚さ寸法Ｈ36の大きさは、普通乗用車に組み込まれる自動車用変速機に使用される軸受サイズを考慮すると、２００〜４００μｍの範囲に収まる。２００μｍよりも小さい場合には、定厚部分３６が薄肉になり過ぎて、シールリング４ａの製造時に破れ等の欠陥を生じ易くなるのに対し、４００μｍよりも厚い場合には、軸受サイズに対してシールリップの厚さが過大になり、トルク性能が低くなる。
【００３８】
これに対し、前記定厚部分３６の長さ寸法Ｌ36が厚さ寸法Ｈ36の２倍よりも大きい（Ｌ36＞２Ｈ36）場合には、シールリップ１４ｆ（特に内径側傾斜部２６）の軸方向変位が大きくなる。この為、このシールリップ１４ｆの内周縁部から内輪８ａの軸方向端面までの距離が短かったり、このシールリップ１４ｆと保持器１０ａ（図１参照）とが近接している等、シールリップ１４ｆの設計領域が限られている様な場合には、シールリップ１４ｆの内周縁部（摺接部分）が円筒面３０から軸方向に外れたり、このシールリップ１４ｆの一部が保持器１０ａに干渉したりする可能性が高くなる。
【００３９】
図１１には、締め代（Ｓ）の大きさを大中小とそれぞれ異ならせた３種類のシールリングに関して、定厚部分３６の長さ寸法Ｌ36と厚さ寸法Ｈ36との関係（Ｌ36／Ｈ36）が、シールリップの緊迫力に与える影響を調べた実験結果を示している。この実験結果から明らかな通り、締め代（Ｓ）の大きさを、「小（Ｓ≒Ｈ36×０．２）」又は「中（Ｓ≒Ｈ36×１）」に設定した場合には、定厚部分の長さ寸法Ｌ36と厚さ寸法Ｈ36との関係を変化させた場合にも、緊迫力の大きさはそれ程大きく変化しない事が確認された。これに対し、締め代の大きさを、「大（Ｓ≒Ｈ36×２）」に設定した場合には、定厚部分の長さ寸法Ｌ36と厚さ寸法Ｈ36との関係が、１Ｈ36≦Ｌ36≦２Ｈ36を満たす範囲で緊迫力の値が小さくなると共に、この範囲から外れる（大小それぞれに外れる）程、緊迫力の値が大きくなる事が確認された。従って、自動車用変速機の回転支持部を構成する本例のシールリング付玉軸受１ａの場合には、定厚部分３６の長さ寸法Ｌ36と厚さ寸法Ｈ36との関係を、１Ｈ36≦Ｌ36≦２Ｈ36を満たす様に規制する事で、シールリップ１４ｆの緊迫力を低く抑えられる事が確認できた。
【００４０】
以上の様に、本例のシールリング付玉軸受１ａの場合には、自動車用変速機を組み付け対象として、締め代Ｓの大きさを定厚部分３６の厚さ寸法Ｈ36との関係で大きく（１Ｈ36＜Ｓ36≦３Ｈ36）設定する必要がある為、この定厚部分３６の長さ寸法Ｌ36を厚さ寸法Ｈ36の１〜２倍の範囲に規制する事で、前記シールリップ１４ｆの緊迫力を小さく抑える事ができる。又、本例の場合には、このシールリップ１４ｆの一部が、前記保持器１０ａと干渉したり、摺接部である内周縁部が円筒面３０から軸方向に脱落する事を防止できる。
【００４１】
尚、緊迫力の低下の為に、定厚部分３６の長さ寸法Ｌ36と厚さ寸法Ｈ36との関係を規制する対象となる構造は、前記図９に示した様に、この定厚部分３６を含んで構成される連続部２７ａ（内側連続面２９）全体を直線状とした構造に限らない。シールリング４ａを金型成形により造る場合、外径側傾斜部２５の外周面と内側連続面２９との連続部、及び、内径側傾斜部２６の内周面とこの内側連続面２９との連続部が、直線的な角部となる事は少なく、例えば図１２の（Ａ）に示した様に、外径側傾斜部２５の外周面と内側連続面２９ａとの連続部、及び、内径側傾斜部２６の内周面とこの内側連続面２９ａとの連続部には、曲率半径が０．１ｍｍ程度の円弧部３７ａ、３７ｂが形成される場合が多い。この様な構造の場合、これら両円弧部３７ａ、３７ｂを除いた直線部３８の全長を、定厚部分３６の長さ寸法Ｌ36として、厚さ寸法Ｈ36との関係を規制する。又、図１２の（Ｂ）に示した様に、連続部２７ｂ全体が円弧状に湾曲した構造の場合には、この円弧部の長さ寸法（定厚部分３６の両端部間の距離）を、定厚部分３６の長さ寸法Ｌ36として、厚さ寸法Ｈ36との関係を規制する。尚、図１２の（Ｂ）に示した構造の場合、内側連続面２９ｂのうち、定厚部分３６に対応する部分の少なくとも一部を通る接線とシールリング４ａの中心軸とが為す角度が１０４度以上であれば、本発明の角度条件を満たす。又、図示は省略するが、連続部を、円弧状の定厚部分と円弧状の肉厚変化部分とから構成する構造の場合にも、内側連続面のうち、定厚部分に対応する部分の少なくとも一部を通る接線とシールリングの中心軸とが為す角度が１０４度以上となる場合に、本発明の角度条件を満たしているとする。
その他の構成及び作用効果に就いては、前述した実施の形態の第１例の場合と同様である。
【産業上の利用可能性】
【００４２】
本発明のシールリング付玉軸受を組み込む自動車用変速機は、図示の構造のものに限定されず、従来から知られている各種構造の自動車用変速機を採用できる。例えばシールリング付玉軸受と軸方向に隣接して配置される変速用歯車は、回転軸に対して、ラジアルニードル軸受を介して回転自在に支持される構造に限定されず、相対回転不能に支持される構造も採用できる。又、本発明のシールリング付玉軸受と軸方向に隣接して配置される部材は、変速用歯車に限定されず、各種部材を採用できる。又、本発明のシールリング付玉軸受に組み込む保持器は、前述した実施の形態の各例で説明した様な金属製の波型保持器に限定されず、合成樹脂製の保持器を使用する事もできる。この合成樹脂製の保持器としては、例えばポリアミドやポリフェニレンサルファイド（ＰＰＳ）、ポリイミド、ポリエーテル・エーテルケトン（ＰＥＥＫ）等にガラス繊維や炭素繊維、アラミド繊維等の繊維状補強剤を混合した樹脂組成物を所定の形状（例えば円環状の基部の複数の柱部とから成る冠型）に成形したものを用いる事ができる。又、合成樹脂製の冠型保持器を使用する場合には、シールリップを構成する連続部の径方向外方に位置する部分（基部の内周縁部）に、切り欠きを形成する事もできるし、各玉の設置位置（及び外輪軌道、内輪軌道の形成位置）を軸方向にオフセットさせて、シールリング付玉軸受の軸方向寸法（幅寸法）を小さくする事もできる。更に、前述した実施の形態の各例の構造は、適宜組み合わせて実施する事ができる。
【符号の説明】
【００４３】
１、１ａ  シールリング付玉軸受
２    回転軸
３、３ａ  玉軸受
４、４ａ、４ｂ  シールリング
５    外輪軌道
６、６ａ  外輪
７    内輪軌道
８、８ａ  内輪
９    玉
１０、１０ａ  保持器
１１、１１ａ  芯金
１２、１２ａ  弾性材
１３、１３ａ  係止溝
１４、１４ａ〜１４ｆ  シールリップ
１５    シール溝
１６    変速用歯車
１７    ラジアルニードル軸受
１８    間座
１９    支持筒部
２０    ポケット
２１    円輪部
２２    円筒部
２３    折れ曲がり部
２４    環状係止部
２５    外径側傾斜部
２６、２６ａ  内径側傾斜部
２７    連続部
２８、２８ａ  溝部
２９、２９ａ、２９ｂ  内側連続面
３０、３０ａ    円筒面
３１ａ〜３１ｃ  副シールリップ
３２    傾斜面
３３    小径段部
３４、３４ａ  嵌合筒部
３５、３５ａ  荷重支承面
３６    定厚部分
３７ａ、３７ｂ  円弧部
３８    直線部
【図１】
2015034632.tif 000003
【図２】
2015034632.tif 000004
【図３】
2015034632.tif 000005
【図４】
2015034632.tif 000006
【図５】
2015034632.tif 000007
【図６】
2015034632.tif 000008
【図７】
2015034632.tif 000009
【図８】
2015034632.tif 000010
【図９】
2015034632.tif 000011
【図１０】
2015034632.tif 000012
【図１１】
2015034632.tif 000013
【図１２】
2015034632.tif 000014
【図１３】
2015034632.tif 000015
【図１４】
2015034632.tif 000016